(57)【要約】【課題】  美を取り巻く業界では、近来、オリジナル性が要求されるにつれ、新たな演出のキャンパスが必要となり、指先が着目され、多くのネイリストが活躍するようになってきた。しかし、特にブライダル業界では、衣装等の要素と合わせたネイルアートを爪という小さなキャンパスのみで演出するには限界があり、また指先に集中した装飾では、日常動作を制限させることがある。【解決手段】  従来のネイルアート技法でも、指先に限り、樹脂や宝石等を用いて装飾する３Ｄアートが存在するが、これらを応用し、キャンパスを指先から肩口までの腕全体で捉え、製作されるアームアクセサリーを装着することにより、動作を制限されることなく美観とデザイン性を増大させ、各要素とより合致した美しい容姿を提供する。新たなキャンパスの創造は、オリジナル性の演出を容易にし、ネイルアートが脚光を浴びてきたように、限りない可能性を秘めるものである。【選択図】図８
2007054486.tif 000002
【特許請求の範囲】
【請求項１】
ビーズ類を含む立体装飾物と基部を組み合わせて一体化し、その一部に装着固定部を有することを特徴とする装飾体。
【請求項２】
上記立体装飾物を、アクリル化合物を素材としたモノマーであるリキッドアクリルとポリマーであるパウダーアクリルを混ぜ合わせたもので形を作り硬化重合により得ることができることを特徴とする請求項１に記載の装飾体
【請求項３】
上記素材を、ポリ乳酸や脂肪族ポリエステル等の生分解性樹脂やリサイクルされたものを含む熱可塑性樹脂や溶剤の他、金属、粘土、宝石類等の鉱石や石膏等の無機物から布地や繊維、木や生花等の植物を用いて単体若しくはそれらを適宜に組み合わせて製作したことを特徴とする請求項１及び２に記載の装飾体。
【請求項４】
上記装飾体を、指先から肩口までの間で立体装飾物が手の甲側に位置されるように螺旋状に巻き付けて一箇所以上の部分を固定装着し表現を行うことを特徴とする装飾方法。
【発明の詳細な説明】
【技術分野】
【０００１】
本発明は、指先から肩口までの腕全体をキャンパスとして捉えた指先から肩口に跨る三次元または立体装飾体及びその装飾方法に関するものである。
【背景技術】
【０００２】
ネイルアートは、そもそも爪や指先のケアーとして古代エジプトや中国で発祥したといわれているが、現在のように爪部に着色する文化の歴史は古く、王族等身分の高い人々は華やかな明色を施していたのに対し、身分の低い人々は暗色や薄い色を施すことしか許されていなかったとされており、社会生活の場で重要な意味をなしてきたといえる。
【０００３】
日本においても、欧米からマニキュアから付け爪の装着、そして樹脂を自爪上で形成させるスカルプチュアドネイル等が次々と到来し、現在では老若男女を問わず特に女性の間で需要がブームを超えて年々増加傾向にある。その裏付けとして、昨今の女性があこがれる職業ランキングでもネイリストが常に上位を占めており、１９９７年春に行われた第一回ＪＮＡネイリスト技能検定の総受験者数が２８９名であったが、年々着実に増加し始め、今日では実に２万人を突破するほどの人気で、社会にネイルアートが根付いている背景をうかがい知ることができる。
【０００４】
女性の日常生活に不可欠となったネイルアートであるが、ここ数年で、特にフォーマルパーティーやブライダル業界で、美容師やヘアメイクアップアーティスト、衣装関連業種に次いで多くのネイリストが活躍するようになってきている。美を取り巻く業界では、近来、オリジナル性が要求されるにつれ、新たな演出のキャンパスが必要となり、指先が着目され、多くのネイリストが活躍するようになってきた理由であると言える。しかし、特にブライダル業界を例に挙げれば、衣装やヘアメイクが優先され決定された後に、適用人物の個性を引き出し、髪，肌，目などのパーソナルカラーや雰囲気を加味した上で、それぞれの要素に合致したデザインを爪という限られたキャンパスのみで演出するネイルアートは他業種に比べ極めて困難である。
【０００５】
この改善策としては、従来は指輪やブレスレットなどのアクセサリーを併用する他、ネイル業界において３Ｄアートが登場し、樹脂素材をベースとした立体物や宝石類を爪上に装着する演出が知られている。また装飾用の付け爪や指先に絵柄を接着若しくは直接描く化粧や手の甲に装着するアクセサリーを用いての装飾が考案されている。しかしながら特開平８−１３１２２３号公報では、手の甲を中心とする装飾のみであり、特に夏衣装やフォーマル、ブライダル衣装のように腕部分において、比較的露出の多い場合はその部分が空間となり体全体と手先に統一性を持たせ、且つより美しく演出するには不十分である。
【０００６】
一方、実用新案登録第３０９２５６４号公報のように指先にのみ集中したネイルアートは、写真撮影等静止状態のみであれば問題はないが、３Ｄ立体ネイル同様に最も動かす指先が不自由になりがちなことから、例えばグラスが持ちにくくなる等の弊害が懸念される他、特に接着方式であれば装着物の剥離を恐れることから動作が不自然になるなど、美しい容姿の演出の副作用としてそもそも美の寄生する生活の質を低下させる要因になりかねない。
【０００７】
【特許文献１】特開平８−１３１２２３
【特許文献２】実用新案登録第３０９２５６４号
【発明の開示】
【発明が解決しようとする課題】
【０００８】
これら先行するものの適用に際して、それぞれの要素に応じて、どのようなアクセサリーをどのようなデザインでどのように創作し、どのように装着させるかを明示するに至っておらず、実用性が低い上、要素となる衣装やヘアメイク、人物の個性や雰囲気、そして目，髪，肌等のパーソナルカラーに合致させ一体性を持たせた演出は困難で、適用により動作が制限されるといったデメリットが発生する可能性がある。ビーズ類及び樹脂や繊維等で作られるデザイン等機能面に必要な立体装飾物を適宜組み合わせて基部に装着し、衣装やヘアメイクに合致した装飾体として一部に輪等から成る固定部を有する状態で完成させ、指先から肩口までの範囲内に装着させることによる演出を提供することである。具体的には、装飾を施すキャンパスを指先から肩口までの腕全体で捉え、大きく分けて爪部，指，手甲，手首，下腕，上腕部分や肩口のいずれか単体部分若しくは全体にそれぞれの部分に状況に合わせて直接身体へ若しくは手袋や布等の上に装飾体を装着することにより、美観とデザイン性を増大させ、衣装やヘアメイク等とより合致した美しい容姿を提供することを目的としたものである。
【課題を解決するための手段】
【０００９】
請求項１では、基部に指先から肩口までの範囲にて装着する輪状等から成る固定部を有し、且つその先端をビーズ取付等により安全にする処理若しくは係止部となる処理を施したものを基材に、適宜立体装飾物を組み合わせて一体化していることを特徴とする装飾体を製作する。一例として基部は、編込む等加工を施したものや連結させたものを含むステンレス，チタン合金，鉄，銅，真鍮，その他金属性のものやゴム等伸縮性を有する素材等から成るワイヤー状の物を用いる。
【００１０】
なお、立体装飾物として請求項２及び３では、ネイルアートの技法でアクリル化合物を素材とした人工爪を形成するアクリル及びジェルネイルの手法を応用し、モノマーであるリキッドアクリルとポリマーであるパウダーアクリルを混ぜ合わせたもので形を作り硬化重合により製作したものや、その他、ポリ乳酸や脂肪族ポリエステル等の生分解性樹脂やリサイクルされたものを含む熱可塑性樹脂の他、金属、粘土、宝石類等の鉱石、石膏等の無機物から布地や繊維、木や生花等の植物を適用する。
【００１１】
次いで、請求項４では、当該発明品である装飾体を指先から肩口の間、具体的には爪部、指，手の甲，手首，下腕，上腕部分のいずれか単体部分若しくは全体に立体装飾物が手の甲側に位置されるように直接身体へ若しくは手袋や布等の上に螺旋状に巻き付けて部分的に固定装着することによる演出方法により動作を制限されることなく、それぞれの要素を十分に反映させたコーディネートをブライダル等のお色直し時にも短時間でかつ素材の選定によってはオーダーメードにて比較的安価に提供することができるものである。
【発明の効果】
【００１２】
ネイル業界において、通常はアクリルパウダーなどで作る立体装飾物は、爪の上においてのみ適用されるものであるが、そうすると指先の自由が奪われることから、本発明では、キャンパスを爪部のみならず指先から肩口の範囲へ移行することにより、固定部を指、又は手首や腕部分のそれぞれ若しくは単体部分に設けたワイヤー状の基材に立体装飾物を適用することで、従来技術の欠点である動作の制限を緩和すると同時にネイルアートの可能性を拡大し、爪はシンプルなものを好む場合でも衣装やヘアメイク等の要素に限りなくマッチした美しい容姿演出を実現することができる。
【発明を実施するための最良の形態】
【００１３】
本発明が対象とする領域は、編込む等加工を施したものや連結させたものを含むワイヤー状の基材と樹脂類を用いて花柄等をモチーフとしたものや宝石等を用いて得ることのできる立体装飾物を適宜組み合わせて一体化させ、部分的に指先から肩口までの範囲にてデザインに応じて装着する輪等の固定部を有するアームアクセサリーを製作し、指先から肩口までの間で立体装飾物が手の甲側に位置されるように螺旋状に巻き付けて部分的に固定装着することによる演出を提供することである。
【００１４】
本発明によるアームアクセサリーの最良の形態について図面に基づき詳細に説明する。
【００１５】
図１は、本発明による、装飾体５の基部２に固定部３を形成し、その先端を安全にする処理若しくは係止部となる処理を施したものを基材1として示す平面図である。
まず加工しやすく形状を維持しやすい基部２として金属製のワイヤーを採用し、その両先端に立体装飾物４であるビーズを固定し、５本のいずれかの指６に挿入できるように固定部３を形成する。固定部３の数や部位においては、デザインや装飾及び演出方法により決定するが、この場合、固定部３が指６の根元部分で固定され、尚且つ手首９から下腕１０の範囲内においての装飾であることから、ワイヤー全体範囲の約三分の一の部位に固定部３を形成することが望ましい。尚、上記基部の材質は銀製であっても合成樹脂で形成してもよい。
【００１６】
図２は、図１の基部２の両先端に安全にする処理若しくは係止部となる処理を施す方法を示した平面図である。まず、基部２であるワイヤーの先端部が肌に刺さり傷つける恐れがあるのを避けるためにワイヤーの先端部に立体装飾物４であるビーズを固定する。先端部にビーズを固定するには、ワイヤーの先端部をビーズの孔に通し、再度同じ方向から同じ箇所に通し、突き出した先端に接着剤を付け再びビーズの孔に通して接着剤を付けた先端を押し込み固定する。但し、ワイヤーを手若しくは鈎針で編みこむ場合においては、ワイヤー先端処理やビーズ固定方法ともに必ずしも本手法を取る必要はない。基部２としてワイヤーが例えば純銀素材のような場合は、ガスバーナー等で熱処理にて先端部に球を形成する事も可能である。
【００１７】
図３は、図１の基部２に輪状の固定部３を形成した状態を示す平面図である。安全処理を施す為に立体装飾物４であるビーズを固定した一本の基部２の片方が、指先６から手首９又は肩口までの長さの位置で交差させ、指６の太さと同様のサイズに輪状の固定部３を形成する。固定部３の中に両端の基部２であるワイヤーを１回以上好ましくは３回程度くぐらせ、固定部３の強度を高めると共に型を整えて接着固定する。但し、基部２を手若しくは鈎針で編みこむ場合においての手順はこの限りではない。また、固定部においても、基部２であるワイヤーを加工して形成する方法に限らず、別に輪状のもの若しくは接合していない一部切り欠いた輪状であっても良い。
【実施例１】
【００１８】
図４に示す基材１は、基部２の一方に立体装飾物４を、他方に固定部3を形成したものである。尚、ゴム等伸縮性を有する素材でも、装着する立体装飾物４の重さに耐えられる基部２を適用することにより、固定部３を手首９や下腕１０部位へ装着するデザインや装飾及び演出方法が可能である。
【００１９】
次に図５に示す装飾体５は、図4の基材１に具体的に、立体装飾物４であるビーズに加え、樹脂及び繊維から成る立体装飾物４を取り付けたものである。その取付方法は図６に示すように、２０ｃｍ以上の基部２としてワイヤーを用意し、仕上がり時に、指先７から肩口までの範囲で装飾を施す部位までに達する長さになるようにし、基部2であるワイヤーに立体装飾物４であるビーズを通す。
【００２０】
次に樹脂及び繊維から成る立体装飾物４の取付方法について図７に基づき説明する。基部2に立体装飾物４の裏若しくは底面の大きさに合わせたものを予め用意し、立体装飾物４との間に基部２を挟むように装置し固定するが、立体装飾物３４の種類によっては、基部２に結び付け若しくは編みこむことも可能である。なお、立体装飾物４の材質によっては、それぞれの接着剤を使用するとよい。また立体装飾物４にあらかじめ穴を開けておいて基部２を通してもよい。
【００２１】
請求項２に記載の立体装飾物４の製作方法を説明する。
一例として樹脂を用いる場合、衣装やヘアメイク等の要素に合わせてネイルと共にオーダーメード性を重視し限りなく個々の条件に合致したコーディネートを実現可能にすることを特徴の一つとする本発明においては、ネイルアートの技法で人工爪を形成するスカルプチュアネイルやビルドオンネイルとしても知られているアクリルネイル（エンハンスメント）の手法を応用し、リキッドアクリル（モノマー）とパウダーアクリル（ポリマー）を混ぜ合わせたもので形を作り、硬化重合により立体装飾物４を得ることができる。同様に重合により金型成型を用いて一定の規格やデザインをもとに量産することも有効である。
【００２２】
他の例として、強化ポリエステルフィルムでコーティングしたネイルフォームのような紙製のシート上やあらゆる離型性を有する面上で、ブラシや筆等を用いて各パーツを作り、それらを組み合わせて必要であればデザインに応じて、あらかじめカラーポリマーを用いる他、顔料や色素を添加しての着色や、形成した後に色付けや模様の描写をする。
【００２３】
また、立体装飾物４にコーティング手法等による変色・劣化防止処理やツヤ消し若しくはツヤ出し等の二次加工を施すことで芸術的効果と共に機能性を高めることができる。コーティング手法は、安定した物性が好ましく、一例としては無機系のシリコン塗料等をトップコートとして塗布することで、無機高分子の紫外線吸収域は０．２２μｍ以下のため、紫外線を吸収せず通過させることから、紫外線による劣化を防ぐことができると同時に超撥水性能を得ることができるので汚れから下地となる立体装飾物４を保護することが可能となる。
【００２４】
一つの層を形成するわけであるから、耐久性が著しく向上し、難燃化することも可能で、貸与にて産業上利用する場合においては特に有効である。但しコーティング塗膜乾燥後は、有機溶剤特有の毒性ガス等が揮発しないものを適用することが好ましく、昨今建築分野をはじめ様々な業界に用いられている酸化チタン系の光触媒から無光触媒と称されている処理も有効である。
【００２５】
また、別に既存の人工爪技法で通称ジェルネイルと呼ばれている紫外線若しくはハロゲン等の光線により固形させるライトキュアドジェルや、光線を必要とせず水や活性剤を塗布若しくは浸すなどして固形させるノーライトジェルの手法も適用できる。
【００２６】
本発明は、指先から肩口までの範囲内をキャンパスとしてデザイン装飾することによりコーディネート性を拡大することを目的としたものであり、立体装飾物４の製作方法は、特に上述手法に限定するものではなく、樹脂においても、条件を満たすのであれば、工業的に成形困難なものは除くあらゆる熱可塑性樹脂やポリ乳酸等の生分解性樹脂、それらのリサイクル材料、そして実施にあたってはそれらを溶かす溶剤系を使用することも含む。
【００２７】
請求項３に記載の立体装飾物４の素材は、樹脂以外においても例えば金属、粘土、宝石等の鉱石、石膏等の無機物から布地や繊維、木や生花等の植物や造花等を単体若しくはそれらを適宜組み合わせて立体装飾物４に用いることを含むもので、本発明の目的とする効果を様々な条件においても産業上実現可能にするためにも特に使用素材を限定するものではない。
【実施例２】
【００２８】
請求項４に記載の装飾方法について図面に基づいて詳細に説明する。
女性を対象にした場合、右手はエスコート時に隠れる為、基本的に左手に装着する。ブライダルを例に挙げれば、指輪の交換、キャンドルサービス、ケーキカット等花嫁は常に添える手は左手であることから演出効果が期待できる。
【００２９】
実施例２について図８に基づき説明する。固定部３に、基部２の短い方が指先７に、長い方が手の甲８に流れるように指６を通す。この時に指６の外側には立体装飾物４が位置する。次に基部２の短い方を、指先７の根元に向かって、螺旋状に巻き付ける。指先７の根元まで巻き先端の立体装飾物４であるビーズを基部２と共に１回若しくは長さの調整が必要な場合は複数回潜らせ固定する。次に、基部２の長い方を手の甲８の中心辺りに立体装飾物４が現れるように留意しながら、手首９に向かって伸ばし、手首９で固定できるように、一度手首９で基部２を１回潜らせた後、下腕１０を経由して肘までの範囲に螺旋状に腕に巻きつける。最後のとめ方は基部２の短い方と同様にする。
【実施例３】
【００３０】
実施例３について図９に基づき説明する。二つある輪状の固定部３のうち、一つの固定部３を指６の根元へ挿入し、他方の固定部３を指先７の根元へ挿入しそれぞれ装着する。手の甲８から手首９に関しての装着方法は、実施例２と同様にする。
【実施例４】
【００３１】
実施例４について図１０及び図１１に基づき説明する。
基部２の中心部に作られた固定部３に指６を通し、立体装飾物４が固定部３の外側に来るようにする。次に２本の立体装飾物４であるビーズを適宜装着した基部２が手の甲８側に流れるようにする。指６を通した固定部３から手の甲８に流れた２本の基部２のうち１本は親指側から、他方の１本は小指側から手首９の内側に回し、手首９の内側で1〜2度交差し、潜らせた後、手首９の外側に回し手首９に絡め、手首９の外側で留める。
【００３２】
本発明による装飾体及びその装飾方法は、定まった素材や組み合わせに限定するものではなく、その場面の衣装、ヘアースタイル、ネイルアート、シチュエーション等とのバランスにおいて適宜選択・採用されるものであることは言うまでもない。
【００３３】
昨今のブライダル事情は、かつてホテルや結婚式場にて執り行われるのが主流であったが、レストランウエディング形式が増えてきているのは、単に安価を求めたのではなく、個性を追求してきたといえる。決められた形式にのみ沿うのではなく、会場作りからペーパーアイテムにいたるまでオリジナル性を出している。
【００３４】
ウエディングドレスも、主流はまだまだレンタルだが、オリジナルオーダーという形で個性を出し、新品を着るという本来の純白ウエディングドレスへと移行しつつある。この流れの中で、本発明の装飾体を用いることにより、レンタルドレスにもオリジナル性を持たせることができ、オーダードレスには更なるオリジナル性をもたせることが可能となる上、衣装の肩口や袖部での結合した装着も可能で、貸衣装に合わせたものを製作することで、貸衣装業者とのタイアップによる貸与事業としても展開できる。
【００３５】
ブライダル業界でのネイルは年々注目されてきているとはいえ未だ脇役的な存在である。爪だけのキャンパスでドレス等の要素との一体性を演出するには限度があるが、本発明により各要素との一体性の実現と指先を更に引き出す効果が得られる。樹脂を用いて３Ｄ立体装飾物をつくる技法はネイリストが修得するものであるが、爪の上にのみ適用するだけでは、コンテストや作品としてしか評価されず、非日常的であるといえる。本発明により、上述技法を日常の役務として生かし、職業の場を広げることは、人気上位職業ネイリストの活躍の場を著しく拡大することにつながり、しいては女性の社会進出を助長することさえも期待される。
【００３６】
また社交ダンスなど激しく動く場合でも、本発明であれば有効で、巻きつけることで装着することを基本としていることから、人の動きに応じて自然に靡き、審査基準に指先の美が評価されるとしていることからも機能性とデザイン性を両立させた新しいコーディネートが期待される。
【図面の簡単な説明】
【００３７】
【図１】装飾体の基部に固定部を形成し、その先端を安全にする処理若しくは係止部となる処理を施したものを基材として示す平面図である。
【図２】基部端部にビーズ類を固定する方法を示す説明図である。
【図３】基部中間部に指を挿入する固定部を形成する方法を示す概略説明図である。
【図４】二つの固定部と先端処理を施した基材を示す平面図である。
【図５】図4に立体装飾物であるビーズと樹脂から成る立体装飾物を取り付けた平面図である。
【図６】基部中間部にビーズ類を固定する方法を示す説明図である。
【図７】ビーズ類以外の立体装飾物を基部に取り付ける方法を示す説明図である。
【図８】装飾体の装着例を示す概略説明図である。
【図９】装飾体の装着例を示す概略説明図である。
【図１０】装飾体の装着例を示す概略説明図である。
【図１１】装飾体の装着例を示す概略説明図である。
【符号の説明】
【００３８】
１    基材
２    基部
３    固定部
４    立体装飾物
５    装飾体
６    指
７    指先（爪部）
８    手の甲
９    手首
１０    下腕
【図１】
2007054486.tif 000003
【図２】
2007054486.tif 000004
【図３】
2007054486.tif 000005
【図４】
2007054486.tif 000006
【図５】
2007054486.tif 000007
【図６】
2007054486.tif 000008
【図７】
2007054486.tif 000009
【図８】
2007054486.tif 000010
【図９】
2007054486.tif 000011
【図１０】
2007054486.tif 000012
【図１１】
2007054486.tif 000013